(57)【特許請求の範囲】
【請求項１】
河川に沿って築造された堤防に設けられる越水防止装置であって、
前記堤防の天端に回動可能に取り付けられ、平常時に略水平な状態で前記天端に配される防水板を有する、前記堤防に沿って複数が並設されたデッキと、
前記堤防側と前記デッキとの間に取り付けられて各デッキを独立して回動させる回動手段と、
前記デッキの下面に取り付けられ、前記河川から浮力を受けて該河川の水位の変動に追随することで、前記デッキを前記回動手段回りに回動させて前記天端上で起立させるフロートと、
隣接する前記デッキ間の隙間を連結する連結部材と、
前記デッキ間の隙間を覆うように、所定の撓みを設けて前記デッキに取り付けられた水密板と、を備え、
前記連結部材は、前記隣接するデッキの一方の端部に設けられた第１の連結部材支持部に固定されたボルトであり、該ボルトの先端が所定の隙間をあけて隣接したデッキに対向配置された第２の連結部材支持部に形成された長孔に貫通して支持され、各デッキが回動した際に、前記長孔の範囲で隣接するデッキ間の回動ズレが規制されるとともに、該回動ズレに追従する前記水密板で前記隙間の水密性を保持することを特徴とする越水防止装置。
【請求項２】
前記防水板に一辺が接続され、他の一辺が前記堤防の一部に固定された防水膜をさらに備え、
前記防水板と、前記防水膜とより前記堤防を越える水をせき止めることを特徴とする請求項１に記載の越水防止装置。
【請求項３】
前記デッキは、平常時にその一部が前記天端から前記河川側に略水平に張出し、前記デッキを支持して、該デッキの一部が略水平に張り出した状態を保持する支持材と、前記デッキの上面に設けられた防護柵と、をさらに備えることを特徴とする請求項１に記載の越水防止装置。
【請求項４】
前記支持材は、前記デッキと前記堤防の法面とを接続する柱状部材であることを特徴とする請求項１に記載の越水防止装置。
【請求項５】
前記支持材は、前記堤防の天端に形成された突出部であることを特徴とする請求項１に記載の越水防止装置。
【請求項６】
前記堤防の天端には、前記デッキ、及び前記フロート収容するための凹部が形成されており、平常時において、前記デッキ、及び前記フロートは前記凹部に収容されていることを特徴とする請求項１に記載の越水防止装置。
【発明の詳細な説明】
【技術分野】
【０００１】
本発明は、河川等の堤防の天端に設置されて、洪水時等に河川水の越水を防ぐ越水防止装置に関する。
【背景技術】
【０００２】
従来、堤防の越水対策としては、堤防自体を高規格のものに改修したり、河川の増水時に堤防の天端に土嚢を積みあげる土嚢工が採用されてきた。高規格な堤防に改修する場合、越水対策として恒久的な対策となりうるが、改修費用がかかり施工できる範囲は限られたものとなる。また、土嚢工は、土嚢を積み上げる作業に多くの人員を必要とし、手間と時間を費やすという問題がある。
【０００３】
堤防の越水対策としては、様々な工法や装置が開発されている。例えば特許文献１には、垂直方向に延在する壁で構成される枠体を複数連設させた越水防止装置が開示されている。この越水防止装置は、構成が簡単で軽量であるため、河川の増水時に容易かつ迅速に設置作業を行うことができる。また、特許文献２には、歩行者や自転車のための防護柵を、水をせき止める防水柵としても機能させることができる防水防護柵が開示されている。この防水防護柵は、通常の使用時には、一部の堰板を跳ね上げておくことで閉塞感を与えることがなく、また、河川が増水して洪水のおそれがあるときは、跳ね上げた堰板を人力で下ろすことにより、防水機能を発揮することができる。
【先行技術文献】
【特許文献】
【０００４】
【特許文献１】特開２００８−３０３６６４号公報
【特許文献２】特開２００１−１８２０２７号公報
【発明の概要】
【発明が解決しようとする課題】
【０００５】
しかしながら、特許文献１、及び特許文献２に記載の越水防止装置を洪水時に機能させるためには、上述したように堤防天端での作業を必要とする。しかしながら、法面の勾配が大きく、天端幅が狭い堤防での作業は、十分な作業空間を確保することができず、迅速な対応をとることができなかった。また、特許文献２に記載の越水防止装置は常に堤防の天端に設置されることになるため、特に天端幅の狭い堤防に設置された場合、河川に親しむ機会を人々から奪うこととなる。
【０００６】
本発明は、このような問題点を解決するためになされたものであり、洪水時に迅速に越水防止機能を作動させることができるとともに、人々に河川に親しむ機会を与えることができる越水防止装置を提供することを目的とする。
【課題を解決するための手段】
【０００７】
上記目的を達成するため、本発明に係る越水防止装置は、河川に沿って築造された堤防に設けられる越水防止装置であって、前記堤防の天端に回動可能に取り付けられ、平常時に略水平な状態で前記天端に配される防水板を有する、前記堤防に沿って複数が並設されたデッキと、前記堤防側と前記デッキとの間に取り付けられて各デッキを独立して回動させる回動手段と、前記デッキの下面に取り付けられ、前記河川から浮力を受けて該河川の水位の変動に追随することで、前記デッキを前記回動手段回りに回動させて前記天端上で起立させるフロートと、隣接する前記デッキ間の隙間を連結する連結部材と、前記デッキ間の隙間を覆うように、所定の撓みを設けて前記デッキに取り付けられた水密板と、を備え、前記連結部材は、前記隣接するデッキの一方の端部に設けられた第１の連結部材支持部に固定されたボルトであり、該ボルトの先端が所定の隙間をあけて隣接したデッキに対向配置された第２の連結部材支持部に形成された長孔に貫通して支持され、隣接するデッキが回動した際に、前記長孔の範囲で隣接するデッキ間の回動ズレが規制されるとともに、該回動ズレに追従する前記水密板で前記隙間の水密性を保持することを特徴とする。
【０００９】
また、前記デッキに取り付けられた防水板と、前記防水板に一辺が接続され、他の一辺が前記堤防の法面に固定された防水膜と、をさらに備え、前記防水板と、前記防水膜とより前記堤防を越える水をせき止める構成としてもよい。
【００１３】
また、前記デッキは、前記堤防に沿って複数設けられ、複数の前記デッキのそれぞれには、隣接する前記デッキとボルト連結するための連結部が設けられており、ボルト連結される隣接する前記デッキに設けられた連結部のうち、一方の連結部に形成されたボルト孔が長孔であってもよい。
【００１９】
また、前記支持材は、前記デッキと前記堤防の法面とを接続する柱状部材であってもよい。
【００２０】
また、前記支持材は、前記堤防の天端に形成された突出部であってもよい。
【００２１】
また、前記堤防の天端には、前記デッキ、及び前記フロート収容するための凹部が形成されており、平常時において、前記デッキ、及び前記フロートは前記凹部に収容されてもよい。
【発明の効果】
【００２２】
本発明によれば、洪水時に迅速に越水防止機能を作動させることができるとともに、人々に河川に親しむ機会を与えることができる越水防止装置を提供することができる。
【図面の簡単な説明】
【００２３】
【図１】本発明の第１の実施形態に係る越水防止装置が、堤防の天端に設置されている様子を示した斜視図。
【図２】図１中の矢視II−IIで示した本発明の第１の実施形態に係る越水防止装置の断面図。
【図３】本発明の第１の実施形態に係る越水防止装置の接続部を示す図で、（ａ）は図１中の“ＩＩＩ”で示す部分の拡大斜視図、（ｂ）は図３（ａ）中の矢視ｂ−ｂで示した側面図、（ｂ´）は図３（ｂ）で示した接続部の他の例を示した側面図。
【図４】本発明の第１の実施形態に係る越水防止装置が越水を防止している様子を動作順（（ａ）〜（ｄ））に示した断面図。
【図５】本発明の第２の実施形態に係る越水防止装置が越水を防止している様子を動作順（（ａ）〜（ｃ））に示した断面図。
【図６】本発明の第３の実施形態に係る越水防止装置が越水を防止している様子を動作順（（ａ）〜（ｂ））に示した断面図。
【図７】本発明の第４の実施形態に係る越水防止装置が越水を防止している様子を動作順（（ａ）〜（ｃ））に示した断面図。
【図８】本発明の第５の実施形態に係る越水防止装置を示しており、（ａ）は平常時における越水防止装置の断面図、（ｂ）は洪水時における越水防止装置の断面図。
【図９】本発明の第５の実施形態に係る越水防止装置の斜視図。
【図１０】図９中の“Ｘ部”で示した部分の拡大図であり、（ａ）は側面図、（ｂ）は（ａ）中の矢視ｂ−ｂで示した断面図。
【図１１】本発明の第６の実施形態に係る越水防止装置の斜視図。
【図１２】本発明の第７の実施形態に係る越水防止装置の斜視図。
【図１３】本発明の第７の実施形態に係る越水防止装置の堤防側の端部に着目した図で、（ａ）は図１２中の矢視ＸＩＩＩ−ＸＩＩで示した側面図、（ｂ）は図１３（ａ）中の矢視ｂ−ｂで示した断面図、（ｃ）は図１３（ａ）中の矢視ｃ−ｃで示した断面図。
【図１４】本発明の第７の実施形態に係る越水防止装置のうち、端部に配設された越水防止装置に着目した図で、（ａ）は斜視図、（ｂ）は図１４（ａ）中の矢視ｂ−ｂで示した側面図。
【図１５】本発明の第８の実施形態に係る越水防止装置を示した図であり、（ａ）は堤防の天端に設置された越水防止装置の断面図、（ｂ）は越水防止装置の斜視図。
【発明を実施するための形態】
【００２４】
以下、本発明の実施形態に係る越水防止装置を図面を参照して説明する。
【００２５】
図１は、本発明の第１の実施形態に係る越水防止装置が、堤防の天端に設置されている様子を示した斜視図である。また、図２は、図１中の矢視II−IIで示した本発明の第１の実施形態に係る越水防止装置の断面図である。なお、越水防止装置２０は、堤防１０の天端に沿った所定の区間に設置されるが、図１では図面の都合上、越水防止装置２０が設置された堤防１０の一部区間のみを図示している。
【００２６】
図１に示すように、河川１５の両岸には、コンクリート製の堤防１０が築造され、洪水による氾濫や陸域の侵食の防止が図られている。この堤防１０は、例えば、天端の幅が狭く、法面の勾配が大きい堤防（所謂カミソリ堤）である。本実施形態に係る越水防止装置２０は、このような堤防１０の越水を防止するために好適な装置である。
【００２７】
図１及び図２に示すように、本実施形態に係る越水防止装置２０は、堤防１０の天端に回動可能に取り付けられたデッキ２１と、デッキ２１に立設された防護柵２２と、デッキ２１の下面に取り付けられたフロート２３と、デッキ２１を堤防１０の法面から支持する支持材２４とを有している。なお、越水防止装置２０は、河川１５の天端に沿って複数個が連続して配列されている。
【００２８】
デッキ２１は、例えば間伐材等から形成された矩形状のウッドデッキであり、堤防１０の天端から河川１５側へ略水平に張り出すように設置されている。図２に示すように、デッキ２１の堤防１０側の一辺は、堤防１０に固定されたデッキ回動ピース２５に回動可能に接続されている。これにより、デッキ２１はデッキ回動ピース２５を中心に回動することができる。なお、河川１５に洪水の恐れがない時（以下、平常時と記す）、デッキ２１は堤防１０の天端を実質的に拡幅する。そして、デッキ２１の上面は滑り止めの塗料が塗布されており、デッキ２１は人々が散歩をするための遊歩道として利用することができる。このように、本実施形態に係る越水防止装置２０を設置することで、河川１５沿いに散歩等に供することができる空間を形成することができ、人々に河川に親しむ機会を与えることができる。
【００２９】
防護柵２２は、例えば間伐材等の木材が格子状に組まれて形成されている。防護柵２２は、デッキ２１の河川１５側の縁に沿って立設されており、歩行者のための手すりや転落防止用の柵として利用される。
【００３０】
フロート２３は、例えば角柱状に形成された発泡スチロールから構成されており、デッキ２１の下面に取り付けられている。河川１５の増水によりフロート２３の一部が浸水すると、フロート２３に浮力が作用する。フロート２３は、この浮力によりデッキ２１を上方に押上げ、デッキ２１をデッキ回動ピース２５を中心に回動させる。なお、河川１５の流水によるフロート２３の破損を防止するためや、耐候性を向上させるために、フロート２３の外周面を、合成樹脂製カバーまたはガラス繊維補強樹脂カバー等で覆って保護することも好ましい。
【００３１】
支持材２４は、デッキ２１を堤防１０の法面から支持し、堤防１０の天端から張り出したデッキ２１の水平状態を保持する。そのため、支持材２４は、比較的高強度の材料から構成されることが望ましく、例えば型鋼から構成されている。支持材２４の一端は、堤防１０の法面に取り付けられた支持材回動ピース２６に回動可能に取り付けられている。また、支持材２４の他端は、デッキ２４に取り付けられた固定ピン２７に脱着可能に取り付けられている。そして、河川１５の水量が著しく増加した時（以下、洪水時と記す）、越水防止装置２０の管理者は、デッキ２１に形成された支持フレーム脱着用の開口２１ａ（図１）に手を挿入し、支持材２４を固定ピン２７から取り外す。これにより、デッキ２１の回動を抑制していた支持材２４との連結状態が解除され、デッキ２１はデッキ回動ピース２５を中心に回動することができる。
【００３２】
また、図２に示すように、堤防１０とデッキ２１との間に形成された隙間には、例えばゴム材料から形成された防水パッキン２８が挿入されている。この防水パッキン２８は、堤防１０とデッキ２１との隙間から生じる漏水を抑制する。
【００３３】
なお、前述したように越水防止装置２０は、河川１５の天端に沿って複数個が連続して配列されている。これら複数の越水防止装置２０が一体で河川１５の越水を防止するために、隣り合う越水防止装置２０は種々の接続材で接続されている。次にこれらの接続材について、図３を用いて説明する。図３は本発明の第１の実施形態に係る越水防止装置の接続部を示す図で、（ａ）は図１中の“ＩＩＩ”で示す部分の拡大斜視図、（ｂ）は図３（ａ）中の矢視ｂ−ｂで示した側面図、（ｂ´）は図３（ｂ）で示した接続部の他の例を示した側面図である。
【００３４】
図３（ａ）に示すように、越水防止装置２０の上面には、隣り合う越水防止装置２０を接続する水密板２９が取り付けられている。水密板２９は、例えばゴム材料から構成され、隣り合う越水防止装置２０の隙間から河川水が流出するのを防止する。
【００３５】
また、図３（ｂ）に示すように、デッキ２１の上面には、水密板２９に覆われるように、隙間をあけて隣り合う越水防止装置２０を連結する連結材３０が取り付けられている。連結材３０は、隣接する越水防止装置２０間で生じるねじれ等を抑制し、複数の越水防止装置２０が一体で機能するように、越水防止装置２０間を強固に連結する。そのため、連結材は比較的高強度の線材等の材料から構成されるのが好ましく、例えばワイヤやチェーン等から構成されている。なお、図３（ｂ）に示すように、水密板２９は、連結材３０に比べて、越水防止装置２０の接続方向（図３（ｂ）中の左右方向）に撓んだ状態で取り付けられている。そのため、隣り合う越水防止装置２０間に生ずるねじれ等により発生する力は、大部分が連結材３０の引張作用により受け持たれ、水密板２９にはほとんど作用しない。これにより、水密板２９の損傷を防止し、水密板２９による防水効果を維持することができる。なお、水密板２９及び連結材３０を、デッキ２１の下面に取り付けても同様の効果が得られることは言うまでもない。
【００３６】
また、水密板２９及び連結材３０の機能を一つの部材により実現してもよい。例えば、図３（ｂ´）に示すように、水密板２９による防水機能、及び連結材３０による連結機能を兼ね備えた水密板２９´を用いて、隣り合う越水防止装置２０を接続してもよい。このような水密板２９´は、ある程度の伸縮性と引張強度を有する材料から構成されるのが好ましく、例えば硬質のゴム材料等から構成されている。
【００３７】
また、デッキ２１を遊歩道として利用する人々にとって、防護柵２２は手摺としても利用できることが好ましい。そのため、図３（ａ）に示すように、隣り合う防護柵２２を伸縮継手３１で接続して、防護柵２２の連続性が確保されている。伸縮継手３１は、例えばその中央部が蛇腹状に形成された継手である。
【００３８】
次に、本発明の第１の実施形態に係る越水防止装置２０の具体的な動作について図４を用いて説明する。図４は、本発明の第１の実施形態に係る越水防止装置が越水を防止している様子を動作順（（ａ）〜（ｄ））に示した断面図である。なお図４は簡略化のため、片側の堤防１０に設置された越水防止装置２０のみを示している。
【００３９】
図４（ａ）は、平常時の越水防止装置２０の断面図を示している。図に示すように、河川１５の水面はフロート２３の下方にあり、デッキ２１は堤防１０の天端から河川１５側に張り出した状態で支持材２４により支持されている。
【００４０】
図４（ａ)に示した状態から、河川の流量が増加し洪水の恐れがあると判断されると、管理者は支持材２４の一端を固定ピン２７から取り外す。そして、図４（ｂ）に示すように、フロート２３の一部が河川１５に浸水すると、フロート２３に浮力が作用する。フロート２３は、作用した浮力によりデッキ２１を上方に押上げる。これにより、デッキ２１はデッキ回動ピース２５を中心に回動する。
【００４１】
図４（ｂ）に示した状態から、さらに河川１５の流量が増加すると、フロート２３は河川１５の流量の増加に伴い上昇し、デッキ２１をさらに回動させる（図４（ｃ））。図４（ｃ）に示した位置までデッキ２１が回動すると、デッキ２１には図中矢印で示す方向に静水圧が作用する。この静水圧は、デッキ２１の回動を促進させる方向に力を作用させる。すなわち、フロート２３に浮力が作用する初期の段階でデッキ２１を回動させることができれば、その後は静水圧の作用によりデッキ２１の回動は促進されることになる。
【００４２】
図４（ｃ）に示した状態からさらに河川１５の流量が増加すると、やがて図４（ｄ）に示すように、デッキ２１は略鉛直の姿勢になるまで立ち上がる。すなわち、越水防止装置２０は、最大でデッキ２１の幅分だけ堤防１０の天端に立ち上がらせることができる。なお、デッキ２１が略鉛直の姿勢になった状態で回動が止まるように、デッキ回動ピース２５には図示しないストッパが形成されている。
【００４３】
次に、本発明の実施形態に係る越水防止装置２０が奏する効果について説明する。
【００４４】
平常時に、堤防１０の天端から河川１５側へ略水平にデッキ２１を張り出させることにより、堤防１０の天端が実質的に拡幅される。このように拡幅された天端は人々が散歩をするための遊歩道として利用したり、災害時における避難路または輸送路として利用することができる。このように、河川１５沿いに散歩等に利用することができる空間を形成して人々に河川１５に親しむ機会を与えることができるとともに、災害時の救援や復興に役立てることができる。
【００４５】
また、本実施形態に係る越水防止装置２０は、浮力を受けて上昇するフロート２３がデッキ２１を上方に押上げて堤防１０の天端に起立させることで、越水防止機能を発揮する。そのため、特別な動力源や装置を必要とせず、デッキ２１と支持材２４との連結状態を解除するだけで、越水防止機能を発揮させることができる。これにより、洪水時に迅速に越水防止装置２０の越水防止機能を作動させることができる。
【００４６】
また、上述したように、隣り合う越水防止装置２０を、水密板２９、連結材３０、及び伸縮継手３１で接続している。これにより、隣り合う越水防止装置２０間からの漏水を防止することができるとともに、越水防止装置２０間に生じるねじれを抑制することができる。
【００４７】
また、洪水時に、越水防止装置２０は堤防１０の天端に起立するため、起立した越水防止装置２０を視認した人は、河川１５の水位が高いレベルにあると認識することができる。そのため、越水防止装置２０の回動状況を確認することで、前もって洪水の危険性を察知することができ安全な場所に避難することができる。なお、本実施形態に係る越水防止装置２０は、デッキ２１の上面に防護柵２２が立設されているため、防護柵２２が最も視認しやすくなる。そのため、堤防１０の天端が目線よりも上方にある場合においても、防護柵２２の回動状況を確認することができれば、河川１５の状態を把握することが可能である。
【００４８】
また、フロート２３が河川１５から浮力を受けて浮いた状態にある場合、越水防止装置２０は河川１５の流れの影響により大きく揺動する。そこで、越水防止装置２０に鈴などの揺動により音を発生させる器具を取付けておくことで、周辺の人々に河川の水位が高いレベルにあることを知らせることができる。なお、フロート２３の寸法（例えばフロート高さｈ等）や配置、デッキ２１や防護柵２２の重量等を、越水防止装置２０の設計条件に適切に組み入れることで、河川１５の水位レベルと越水防止装置２０の回動状況とを関連付けておくことが好ましい。そして、越水防止装置２０の動作を周知させておくことで周辺住民の洪水に対する意識レベルを高めることができる。
【００４９】
ところで、上記実施形態では、支持材２４の一端が固定ピン２７に脱着可能に取り付けられた越水防止装置２０について説明した。しかしながら、支持材２４の取り付け方法は、上述の形態に限定されるものではない。図５は、本発明の第２の実施形態に係る越水防止装置が越水を防止している様子を動作順（（ａ）〜（ｃ））に示した断面図である。なお、本実施形態に係る越水防止装置４０は、支持材２４´と支持材２４´と取り合う固定ピン２７´の構成が上記実施形態の越水防止装置２０と異なっており、他の構成は同じである。そのため、図５においては、上記実施形態に係る越水防止装置２０と同様の部品については同じ符号を付している。また、本実施形態に係る越水防止装置４０を説明するにあたり、上述の第１の実施形態に係る越水防止装置２０と異なる点を中心に説明する。
【００５０】
図５（ａ）に示すように、堤防１０の天端から水平に張り出したデッキ２１の裏面には、例えば丸鋼をＵの字状に加工した固定ピン２７´が取り付けられている。この固定ピン２７´と取り合う支持材２４´の一端には、Ｕの字状に切りかかれた凹部２４ａが形成されている。そして、固定ピン２７´が支持材２４´の凹部２４´ａに差し込まれることで、デッキ２１は支持材２４´により水平に支持されている（図５(ａ））。
【００５１】
図５（ａ）に示した状態から河川１５の流量が増加していくと、やがて河川１５の水面がフロート２３に達し、フロート２３に浮力が作用する。フロート２３は、浮力によりデッキ２１を上方に押上げ、デッキ２１をデッキ回動ピース２５を中心に回動させる（図５（ｂ））。なお、固定ピン２７´は、支持材２４´に形成された凹部２４´ａに挿入されているだけであるため、デッキ２１の回動に伴って徐々に凹部２４´から抜け出てくる。そして、さらに越水防止装置４０の回動量が大きくなると、固定ピン２７´は凹部２４´から完全に抜け出すことになる（図５（ｃ））。
【００５２】
このように、本実施形態に係る越水防止装置４０では、越水防止装置４０の回動により、支持材２４´と固定ピン２７´との接続状態が自動的に解除される。そのため、洪水時に予め支持材２４´と固定ピン２７´との接続状態を解除しておくという作業が不要となる。なお、平常時において越水防止装置４０の振動等により凹部２４´ａから固定ピン３７´が抜け落ちないように、凹部２４´ａの深さは十分に確保しておくのがよい。
【００５３】
また、上述した実施形態では、堤防１０の法面に接続された支持材２４，２４´を用いて、堤防１０の天端から張り出したデッキ２１を支持する構成について説明したが、本発明はこのような形態に限定されるものではない。次に、デッキ２１を支持するための他の方法について図６を参照して説明する。図６は、本発明の第３の実施形態に係る越水防止装置が越水を防止している様子を動作順（（ａ）〜（ｂ））に示した断面図である。なお、本実施形態に係る越水防止装置５０に関しても、上述した形態と異なる点を中心に説明する。
【００５４】
図６（ａ）に示すように、デッキ２１は、デッキ回動ピース２５に回動可能に接続されるとともに、堤防１０の天端に形成された台座３２に支持されて、天端から河川１５側へ略水平に張り出している。台座３２は、例えば鉄筋コンクリート製で、堤防１０の天端の縁に沿うように突出して形成されている。なお、平常時における越水防止装置２０に作用する断面力を低減するために、デッキ回動ピース２５と台座３２との間の距離は可能な限り大きくとるのがよい。そのため、図６（ａ）に示すように、デッキ回動ピース２５は堤防１０の天端の端部近傍（図６（ａ)中の右側）に配置されている。
【００５５】
図６（ａ）に示した状態から河川１５の流量が増加すると、やがて河川１５の水面がフロート２３に達し、フロート２３に浮力が作用する。フロート２３は、作用した浮力によりデッキ２１を押し上げ、デッキ２１をデッキ回動ピース２５を中心に回動させる（図６（ｂ））。なお、デッキ２１は、天端に形成された台座３２には固定されていないため、河川１５の水面の上昇に伴い自動的に回動する。
【００５６】
本実施形態に係る越水防止装置５０では、デッキ２１を支持するための支持部材の設置が不要となるため、越水防止装置２０の製造コストの低減を図ることができる。また、作動した越水防止装置５０を再び設置する場合に、起立した越水防止装置を回動させて元の状態（平常時の状態）に戻すだけでよい。そのため、越水防止装置５０を設置するための労力を低減することができる。
【００５７】
次に、本発明の第４の実施形態に係る越水防止装置について説明する。図７は、本発明の第４の実施形態に係る越水防止装置が越水を防止している様子を動作順（（ａ）〜（ｃ））に示した断面図である。本実施形態に係る越水防止装置６０は、デッキ２１を支持するブラケット６１が堤防１０に取り付けられている点と、堤防１０の天端とデッキ２１の上面との間に段差Ｈが形成されている点とに特徴がある。
【００５８】
ブラケット６１は、アンカーボルト６２により堤防１０の法面に取り付けられ、平常時に略水平方向に張り出したデッキ２１を支持する。ブラケット６１は、河積の減少を抑制するため、内部が空洞になるように例えばＬ型鋼等の型鋼により枠体状に形成されている。なお、ブラケット６１は、デッキ２１の配列方向（堤防１０に沿った方向）に連続させて形成してもよいし、所定の間隔毎に堤防１０に取り付けてもよい。
【００５９】
次に、越水防止装置６０の動作について説明する。図７（ａ）に示すように平常時、デッキ２１は、堤防１０から略水平に張出した状態でブラケット６１に支持されている。そして、図７（ａ）に示した状態から河川１５の流量が増加していくと、やがて河川１５の水面がフロート２３に達し、デッキ２１はデッキ回動ピース２５を中心に回動する（図７（ｂ））。なお、デッキ２１はブラケット６１に固定されていないため、河川１５の水位の上昇とともに自動的にデッキ回動ピース２５を中心に回動することができる。
【００６０】
さらに、図７（ｂ）に示した状態から河川１５の水位が上昇すると、やがて図７（ｃ）に示すように、デッキ２１は略鉛直の姿勢になるまで立ち上がる。この時、デッキ２１は、前述の段差Ｈの形成部に設けられた防水パッキン２８に当接することで、その回動が制限される。これにより、デッキ回動ピース２５に設けられたストッパ（不図示）に作用する力は軽減され、ストッパの破損が防止される。
【００６１】
次に、本発明の第５の実施形態に係る越水防止装置７０について説明する。図８は、第５の実施形態に係る越水防止装置の断面図を示しており、（ａ）は平常時における越水防止装置、（ｂ）は洪水時における越水防止装置を示している。また、図９は、第５の実施形態に係る越水防止装置の斜視図である。なお、越水防止装置を施工するにあたっては、多数基の越水防止装置７０が堤防に沿って配設されるが、図９においては、そのうちの隣接する２基（１基ごとの防水板の分かれ目は防水板が分断されている箇所）の越水防止装置７０に着目している。
【００６２】
上述した実施形態に係る越水防止装置では、デッキ２１（例えば図１）により河川１５の堤防を越えようとする水をせき止めていた。一方、本実施形態に係る越水防止装置７０は、フレーム７１の下面（歩行者が歩行する面とは反対側の面）に取り付けられた防水板７２と防水膜７３とにより河川の水をせき止める。なお、本実施形態に係る越水防止装置７０は、上述した実施形態に係る越水防止装置と共通する点も多いため、異なる構成を中心に説明するものとする。
【００６３】
図８、９に示すように、本実施形態に係る越水防止装置７０は、敷板９５と、敷板９５を支持するフレーム７１と（敷板９５とフレーム７１とで上述の実施形態のデッキ２１（例えば図１）に相当する）、フロート２３と、ブラケット７５と、越水防止装置７０の回動量を制限するストッパ７４と、河川の水をせき止める防水板７２及び防水膜７３とを備えている。
【００６４】
敷板９５は、矩形状に形成された、例えば熱可塑性木質複合木材（商品名：アイン・スーパーウッド、東播商事株式会社製）から構成されている。この熱可塑性木質複合木材は、不用木材や廃プラスチックなどの廃棄物を分解、元の素材を再現し、微粉化された木粉と混合・溶解させて再生させた木材である。敷板９５は、第１の実施形態に係る越水防止装置のものと同様、散歩をするための歩道等として利用される。
【００６５】
フレーム７１は、例えば溝形鋼が格子状に組まれて形成されており、敷板９５の下面を支持する。フレーム７１は、その一辺に沿ってデッキ回動ピース２５が取り付けられており、このデッキ回動ピース２５を中心に回動する。なお、デッキ回動ピース２５は、フレーム７１が上下にばたつくことを制限するためにラチェット構造とすることもできる。
【００６６】
フロート２３は、上記実施形態と同様に発泡スチロールから形成されている。フロート２３は、例えばガラス繊維強化プラスチック（ＧＦＲＰ）製のカバー７８で覆われ、このカバー７８が、ボルト等の固定具を介して防水板７２に取り付けられ、フロート２３が保持されている。また、フロート２３は、フレーム７１に取り付けられた複数のアイボルト（不図示）に掛渡されたベルト等（図示せず）により吊持されてもよい。
【００６７】
ブラケット７５は、例えばＨ形鋼から形成され、堤防１０の法面に取り付けられてフレーム７１等を支持する。
【００６８】
ストッパ７４は、図８（ｂ）に示すように、越水防止装置が平常時の状態から所定量回動した際に、越水防止装置７０の側面と当接して越水防止装置７０の回動を制限する。越水防止装置７０は、その側面がストッパ７４と当接するとそれ以上は回動することができない。すなわち、図８（ｂ）に示した状態は、越水防止装置７０が最も起立した状態を示している。越水防止装置７０は、図８（ｂ）に示した状態から河川の水位が低下していくと、最も起立した状態から自動的に倒伏して平常時の状態に戻ることができる。なお、ストッパ７４の越水防止装置７０と当接する面は、例えば合成ゴム等から形成されている。
【００６９】
防水板７２は、例えば、矩形状の炭素繊維強化プラスチック（ＣＦＲＰ）から形成されており、１基の越水防止装置７０毎にフレーム７１の下面に１枚取り付けられている。防水板７２は、図８、９に示すように、堤防に沿う方向における幅がフレーム７１と略同一で、堤防１０に沿う方向と直交する方向における幅は、フレーム７１よりも狭い寸法に設定されている。このような防水板７２は、一辺が、フレーム７１の先端側（越水防止装置７０が張出した側）の辺に略一致し、複数のボルト７２ａによりフレーム７１に固定されている。なお、防水板７２は、ＣＦＲＰの他、ガラス繊維強化プラスチック（ＧＦＲＰ）、ポリプロピレンハニカムプレート等、軽量で耐水圧が１５．５ＫＮ／ｍ２程度有するものから形成することができる。
【００７０】
防水膜７３は、例えば、ポリエステル基布に塩化ビニル樹脂をコーティングした布地（商品名：ウルトラマックス、平岡織染株式会社製）から形成されている。防水膜７３は、複数の越水防止装置７０に対応する大きさの布地から形成されており、一枚の布地が複数の越水防止装置７０にわたって取り付けられている。図９に示すように、防水膜７３は、一部が堤防１０の法面にかかり、平鋼（不図示）等があてがわれてアンカーボルト（不図示）等により堤防１０の法面に固定されている。また防水膜７３は、ブラケット７５の上面で折り返された状態で、ボルト７５ａによりブラケット７５の上面に固定されている。ブラケット７５上で折り返された防水膜７３は、端辺がフレーム７１と防水板７２との間に狭持されている。なお、防水膜７３は、ゴム材料から構成することもできる。
【００７１】
防水膜７３は、図８（ｂ）に示すように、最も起立した状態となった越水防止装置７０に対応することができる寸法に設定されている。そのため、図８（ａ）に示すように越水防止装置７０が平常時の場合には、防水膜７３は、折り畳まれた状態でフレーム７１下に収容される。なお、越水防止装置７０が起立した状態から元の状態に戻る際に、防水膜７３が折り畳まれた状態に戻れるように、防水膜７３には例えば折り目が予め形成されているか、あるいは折り目を誘発する複数の線材（不図示）が一方の面に平行に取り付けられている。なお、防水膜７３がブラケット７５上で折り返された状態で固定されることにより、越水防止装置７０の動作時にデッキ回動ピース２５への巻き込みが防止される。また、デッキ回動ピース２５に、防水膜７３の巻き込み防止のためのカバーを取り付けてもよい。
【００７２】
また、防水膜７３は、隣接する越水防止装置７０間に張設された接続部７３ａを有している。この接続部７３ａは、隣接する越水防止装置７０のフレーム７１と防水板７２とにそれぞれ挟まれ、隣接する越水防止装置７０の隙間からの漏水を防止する。後述するように、隣接する越水防止装置７０間には回動量にズレが生じるため、接続部７３ａは撓んだ状態で越水防止装置７０間に設置されている。なお、防水膜７３は、予め接続部７３ａが形成された状態で製造してもよいし（すなわち、接続部７３ａが突出した状態で防水膜７３を製造する）、接続部７３ａを別途製造し、接着剤により防水膜７３に接続した構成としてもよい。
【００７３】
このように、防水板７２がフレーム７１の下面に取り付けられるとともに、防水膜７３が堤防１０の法面から防水板７２にかけて設置されることで、上昇した河川の水は、防水板７２と防水膜７３とによりせき止められる。
【００７４】
なお、本実施形態に係る越水防止装置７０は、堤防１０に沿って複数の越水防止装置７０が設置されるため、隣接する越水防止装置７０間で回動量が異なり両者にズレが生じる。このようなズレが生ずると、複数の越水防止装置７０は一体となって防水機能を果たすことができない。そこで、本実施形態に係る越水防止装置７０は、隣接する越水防止装置７０間に生ずるズレを、所定量に制限する構成を備えている。
【００７５】
図９に示すように、本実施形態に係る越水防止装置７０は、１基ごとに第１の連結部７６と第２の連結部７７とを備えている。第１の連結部７６はフレーム７１の１つの頂部（図９中の左上部）に、第２の連結部７７はフレーム７１の他の１つの頂部（図９中の右上部）に設けられている。
【００７６】
図９の“Ｘ部”は、第１の連結部材支持部７６と第２の連結部材支持部７７とが隣接している部分である。図１０は“Ｘ部”の拡大図を示しており、（ａ）は側面図、（ｂ）は（ａ）中の矢視ｂ−ｂで示した側面図を示している。
【００７７】
第１の連結部材支持部７６、及び第２の連結部材支持部７７はそれぞれが鋼材から形成されている。第２の連結部材支持部７７には、ボルト７９を挿通するためのボルト孔７７ａが間隔をあけて２箇所形成されている。このボルト孔７７ａは、挿通されるボルト７９の径に対して通常の孔径（ボルト径の＋１〜２ｍｍ程度）で形成されている。このように、間隔をあけて２つのボルト孔７７ａを形成することで、挿通されたボルト７９のガタツキが抑制される。
【００７８】
一方、第１の連結部材支持部７６には、図１０中の上下方向に長軸が向けられた長孔７６ａが形成されている。この長孔７６ａは、図１０（ｂ）に示すように、第２の連結部材支持部７７に根元部が固定支持されたボルト７９の先端が長孔７６ａの中央に位置した場合（隣接する越水防止装置７０間にズレが生じていない場合）から図中上下方向にそれぞれボルト７９が移動可能な領域を形成する。本実施形態では、長孔７６ａに上下方向にそれぞれ５０ｍｍのボルト移動可能領域が設定されている。
【００７９】
第１の連結部材支持部７６側には、ボルト７９と螺合するナット７６ｂと、このナット７６ｂと第１の連結部材支持部７６との間に位置する摺動ワッシャ７６ｃとが設けられている。ナット７６ｂは、ボルト７９と強固に締め付けられていない状態で、公知のゆるみ止め機構（不図示）が取り付けられている。これにより、隣接する越水防止装置７０間に回動ズレが生じた場合、ボルト７９のゆるみを抑制しながら、ボルト７９を長孔７６内で移動可能な状態とすることができる。
【００８０】
このように、本実施形態に係る越水防止装置７０が、第１の連結部材支持部７６と第２の連結部材支持部７７とを備えることにより、隣接する越水防止装置７０間に生ずる回動ズレを５０ｍｍ以内に制限することができる。
【００８１】
本実施形態に係る越水防止装置７０が奏する効果については、上記の実施形態に係る越水防止装置と同様である。特に、本実施形態に係る越水防止装置７０においては、第１の連結部材支持部７６と第２の連結部材支持部７７とを備えることにより、隣接する越水防止装置７０間に生ずる回動ズレを所定量に制限することができる。また、防水板７２と防水膜７３とにより、増水した河川の水を確実にせき止めることができる。
【００８２】
次に、本発明の第６の実施形態に係る越水防止装置について説明する。図１１は本発明の第６の実施形態に係る越水防止装置の斜視図である。本実施形態に係る越水防止装置８０は、第５の実施形態に係る越水防止装置７０と異なり、フレーム７１の下面に防水板７２（図９）は設置せず、フレーム７１の下面全体を防水膜７３で覆っている。その他の構成は、第５の実施形態に係る越水防止装置７０の構成と同じである。
【００８３】
図１１に示すように、本実施形態における防水膜７３は、堤防１０の法面からフレーム７１先端にまで到達する寸法に形成され、フレーム７１の先端側の端辺で平鋼（不図示）等があてがわれボルト７３ａにより固定されている。防水膜７３は、複数の越水防止装置７０に対応する大きさの布地から形成されており、一枚の布地が複数の越水防止装置８０にわたって取り付けられている。上述したように、隣接する越水防止装置８０は、５０ｍｍずつの相対的なズレが許容される。そのため隣接する越水防止装置８０のズレが生じた際、防水膜７３が引っ張られないように、越水防止装置８０の隣接部近傍で防水膜７３を余らせた状態で取り付けられている。
【００８４】
本実施形態に係る越水防止装置８０が奏する効果については、上記の実施形態に係る越水防止装置と同様である。特に、本実施形態に係る越水防止装置８０においては、堤防１０の法面からフレーム７１にまで覆う防水膜７３が設置されることにより、増水した河川の水を確実にせき止めることができる。
【００８５】
次に、本発明の第７の実施形態に係る越水防止装置について説明する。図１２は本発明の第７の実施形態に係る越水防止装置の斜視図、図１３は、本発明の第７の実施形態に係る越水防止装置の堤防側の端部に着目した図で、（ａ）は図１２中の矢視ＸＩＩＩ−ＸＩＩで示した側面図、（ｂ）は図１３（ａ）中の矢視ｂ−ｂで示した断面図、（ｃ）は図１３（ａ）中の矢視ｃ−ｃで示した断面図を示している。
【００８６】
本実施形態に係る越水防止装置９０は、上記第５，６の実施形態に係る越水防止装置と異なり、デッキ回動ピース２５（図９、図１１）に水密性を持たせることで、堤防１０の法面からフレーム７１にかけての防水膜７３（図９、図１１）は省略している。その他の構成については、第５，６の実施形態に係る越水防止装置７０の構成と同様である。
【００８７】
図１２に示すように、本実施形態に係る越水防止装置９０は、第１の摺動材９１と、この第１の摺動材９１上を摺動する第１の摺動ピース９３と、第２の摺動材９２と、この第２の摺動材９２上を摺動する第２の摺動ピース９４とを備えている。
【００８８】
第１の摺動材９１は、図１３に示すように、堤防１０上に所定の間隔をあけて複数個設置されている。第１の摺動材９１は、例えばプラスチック素材（商品名：ＭＣナイロン、日本ポリペンコ株式会社製）から構成されており、その一部は円弧状に形成されている（図１３（ｂ））。
【００８９】
第１の摺動ピース９３は、例えば、鋼板を円弧状に曲げ加工することで形成されており、フレーム７１の下面に取り付けられている。第１の摺動ピース９３は、第１の摺動材９１の円弧状に形成された部位を滑り、越水防止装置９０を回動させる。
【００９０】
第２の摺動材９２は、フレームに取り付けられた第１の摺動ピース９３間に設けられている。第２の摺動材９２は、例えばプラスチック素材（商品名：ＭＣナイロン、日本ポリペンコ株式会社製）から構成されており、その一部は円弧状に形成されている（図１３（ｃ））。
【００９１】
第２の摺動ピース９４は、例えば、鋼板を円弧状に曲げ加工することで形成されており、堤防１０上に取り付けられている。第２の摺動ピース９４は、第２の摺動材９２の円弧状に形成された部位を滑り、越水防止装置９０を回動させる。
【００９２】
図１３に示すように、第１の摺動材９１と第２の摺動材９２とは間隔をあけずに設置されている。これにより、越水防止装置９０と堤防１０との隙間からの漏水が防止される。また、第１の摺動ピース９３、及び第２の摺動ピース９４の両側面には、摺動材９３ａ、９４ａが取り付けられている。これにより、第１の摺動ピース９３と第２の摺動ピース９４との間の摩擦が低減され、越水防止装置９０の回動をスムーズに行えることができる。
【００９３】
前述したように、本実施形態に係る越水防止装置９０においては、堤防１０の法面からフレーム７１にかけての防水膜は省略されており、防水膜７３はフレーム全面を覆うようにフレーム７１の下面にボルト７３ａで固定されている。なお、上述した実施形態に係る越水防止装置と同様、防水膜７３は、隣接する越水防止装置９０間のズレに対応するために、越水防止装置９０の隣接部近傍を余らせた状態で取り付けられている。
【００９４】
本実施形態に係る越水防止装置９０においては、越水防止装置９０の回動手段に水密性を持たせることで、防水膜７３はフレーム７１の下面のみに設けられている。これにより、堤防１０の天端を越えようとする水をせき止めることが可能となる。なお、本実施形態に係る越水防止装置９０が奏する効果については、上記の実施形態に係る越水防止装置と同様である。なお、本実施形態に係る越水防止装置９０では、フレーム７１の下面に防水膜７３を取り付けたが、防水手段として防水板を取り付けてもよい。
【００９５】
上述の実施形態においては、隣接する越水防止装置、及び隣接する越水防止装置間の防水処理について説明した。ここでは、堤防に沿って配設された多数基の越水防止装置のうち、端部に配設された第７の実施形態に係る越水防止装置９０の構成について説明する。なお、図１４は、本発明の第７の実施形態に係る越水防止装置のうち、端部に配設された越水防止装置に着目した図で、（ａ）は斜視図、（ｂ）は図１４（ａ）中の矢視ｂ−ｂで示した側面図を示している。
【００９６】
図１４に示すように、堤防１０に沿って配設された多数基の越水防止装置９０のうち、端部（例えば、橋詰めとの擦り付け部近傍）の越水防止装置９０に隣接するように、コンクリート壁９６が設けられている。このコンクリート壁９６は、堤防１０を横断するように設けられている。
【００９７】
端部に配された越水防止装置９０には、コンクリート壁９６に面する側の側面に沿って、水密ゴム９７が取り付けられている。水密ゴム９７は、例えば、断面がＬ型のクロロプレンゴムから形成されており、図１４（ｂ）に示すように、平鋼９８等があてがわれてボルト９９によりフレーム７１に取り付けられている。このようにして取り付けられた水密ゴム９７は、折り畳まれた状態で越水防止装置９０とコンクリート壁９６との間に介在する。そして、水密ゴム９７は、上昇した河川水の水圧によりコンクリート壁９６に押し付けられ、河川水が堤内地へ漏出するのを防止する。なお、水密ゴム９７は、硬度５０°〜６０°程度のクロロプレンゴムから形成することで、耐候性、耐油性の向上、越水防止装置９０の回動に合わせて適度な追随性を確保することができる。
【００９８】
このように、端部に配設された越水防止装置９０の近傍にコンクリート壁９６を設けるとともに、越水防止装置９０とコンクリート壁９６との間に水密ゴム９７を介在させることで、上昇した河川水を止水することが可能となる。なお、越水防止装置９０の端部の止水については、第７の実施形態に係る越水防止装置９０を例に説明したが、上述した他の実施形態に係る越水防止装置における場合にも、同様に採用することができる。また、コンクリート壁９６は、既設の橋台等であってもよい。
【００９９】
ところで、上述してきた実施形態においては、天端幅が狭く、法面の勾配が大きなコンクリート製の堤防に越水防止装置を適用する場合について説明したが、盛土でかさあげされた堤防においても同様に適用することができる。図１５は、本発明の第８の実施形態に係る越水防止装置を示した図であり、（ａ）は堤防の天端に設置された越水防止装置の断面図、（ｂ）は越水防止装置の斜視図を示している。
【０１００】
図１５（ａ）に示すように、堤防１０には、天端から掘削され、内面を例えばモルタル層で保護された越水防止装置１００を収容するための収容空間１０１が形成されている。越水防止装置１００は、上述した実施形態に係る越水防止装置と同様に、上面に滑り止め加工が施されたデッキ２１と、デッキ２１の下面に取り付けられたフロート２３とを有している。越水防止装置１００は、堤防１０の天端に回動可能に取り付けられており、平常時には収容空間１０１に収容されている。そのため、平常時にはデッキ２１の上面は堤防１０の天端と面一となっており、デッキ２１の上面を河川利用者の歩行路として利用することができる。
【０１０１】
河川１５が平常時の状態から増水し、水位が堤防１０の天端位置よりも高くなると、堤防１０の天端に形成された収容空間１０１に水が入り込み、フロート２３が浸水する。浸水したフロート２３は浮力を受け、デッキ２１を堤防１０の天端に起立させる。これにより、起立したデッキ２１は堤防１０の天端を越えようとする水をせき止める。
【０１０２】
本実施形態に係る越水防止装置１００においては、平常時にデッキ２１は堤防１０の天端と面一である。そのため、デッキ２１上を歩行路として利用することができ、越水防止装置１００が河川利用の支障となることはない。また、河川１５の水位上昇に伴い、自動的にデッキ２１が堤防１０の天端に起立するため、洪水時に迅速に越水防止装置を作動させることができる。
【符号の説明】
【０１０３】
１０        堤防
１５        河川
２０、４０、５０、６０、７０、８０、９０、１００  越水防止装置
２１        デッキ
２２        防護柵
２３        フロート
２４        支持材
２５        デッキ回動ピース
２６        支持材回動ピース
２７        固定ピン
２８        防水パッキン
２９        水密板
３０        連結材
３１        伸縮継手
３２        台座
６１、７５  ブラケット
７１        フレーム
７２        防水板
７３        防水膜
７４        ストッパ
７６        第１の連結部
７７        第２の連結部
９５        敷板
９６        コンクリート壁
９７        水密ゴム
【図１】
0005610934.tif 000002
【図２】
0005610934.tif 000003
【図３】
0005610934.tif 000004
【図４】
0005610934.tif 000005
【図５】
0005610934.tif 000006
【図６】
0005610934.tif 000007
【図７】
0005610934.tif 000008
【図８】
0005610934.tif 000009
【図９】
0005610934.tif 000010
【図１０】
0005610934.tif 000011
【図１１】
0005610934.tif 000012
【図１２】
0005610934.tif 000013
【図１３】
0005610934.tif 000014
【図１４】
0005610934.tif 000015
【図１５】
0005610934.tif 000016